(57)【要約】      （修正有）【課題】確実に故障解析し、修理を容易にする空気調和機の制御装置の提供。【解決手段】室内機と室外機を接続した上で双方向通信可能なワイヤレスコントローラ３により正常な制御が可能な空気調和機において、室内機の制御装置１及び室外機の制御装置２の両方に製造番号を記憶する為の記憶部１２，２２を設け、空気調和機設置後で室内機と室外機の接続時に、室内機制御装置の記憶部１に記憶された室内機製造番号、及び、室外機制御装置の記憶部２に記憶された室外機製造番号を室内機から双方向通信可能なワイヤレスコントローラへ送信し、ワイヤレスコントローラの制御装置に室内機及び室外機の製造番号を記憶し、さらに、過去に送信されてきた製造番号と異なる新たな製造番号が送信された場合には、過去送信された製造番号と新たに送信された製造番号の両方を記憶し、変更履歴と制御装置設置条件を知ることによって、確実な故障解析と容易な修理を可能にする。【選択図】図１
2006242527.tif 000002
【特許請求の範囲】
【請求項１】
室内機と室外機を接続し、双方向通信可能なワイヤレスコントローラより制御可能な空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から双方向通信可能なワイヤレスコントローラへ送信し、室外機生産時にあらかじめ室外機制御装置の記憶部に記憶された室外機製造番号も室内機から双方向通信可能なワイヤレスコントローラへ送信し、双方向通信可能なワイヤレスコントローラの制御装置にて、室内機及び室外機の製造番号を記憶することが可能なことを特徴とする空気調和機の制御装置。
【請求項２】
複数の室内機と室外機を接続する空気調和機において、双方向通信可能なワイヤレスコントローラの制御装置にて、複数の室内機の製造番号を記憶することを特徴とする請求項１記載の空気調和機の制御装置。
【請求項３】
複数の製造番号に対応したそれぞれの空気調和機の運転時間を双方向通信可能なワイヤレスコントローラの制御装置の記憶部に記憶することを特徴とする請求項２記載の空気調和機の制御装置。
【請求項４】
複数の製造番号に対応したそれぞれの空気調和機の異常内容を双方向通信可能なワイヤレスコントローラの制御装置の記憶部に記憶することを特徴とする請求項２記載の空気調和機の制御装置。
【請求項５】
複数の製造番号に対応したそれぞれの空気調和機の設置条件を双方向通信可能なワイヤレスコントローラの制御装置の記憶部に記憶することを特徴とする請求項２記載の空気調和機の制御装置。
【請求項６】
ワイヤレスコントローラの制御装置の記憶部に記憶された室内機及び室外機製造番号をワイヤレスコントローラの表示部に表示することを特徴とする請求項２記載の空気調和機の制御装置。
【発明の詳細な説明】
【技術分野】
【０００１】
本発明は、室内機と室外機を接続し、双方向通信可能なコントローラにより制御可能な空気調和機において、故障時に室内機と室外機がセットになっていなくても原因解析と修理を容易にする制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった（例えば特許文献１参照）。
【０００３】
図１０は特許文献１に記載の従来の制御装置の構成図である。コントローラ６は、室内機４や室外機５の製品形式を選定する設定部６３、選定した製品形式を記憶する記憶部６４を備え、記憶された製品形式を表示部６２に表示する。
【特許文献１】特開平６−２６５２００号公報
【発明の開示】
【発明が解決しようとする課題】
【０００４】
しかしながら、前記特許文献１では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為、故障に対する解析が十分に実施できず、故障に対する修理が完了しない場合も発生する可能性がある。また、室内機と室外機が両方返却されてきても、どの室内機とどの室外機が接続されていたかを知る手段がない為、十分な解析ができない。
【０００５】
本発明はこのような従来の課題を解決するものであり、空気調和機本体または制御装置が故障にて返却された場合、確実な故障解析とその修理を容易に実施することができる空気調和機の制御装置を提供することを目的とする。
【課題を解決するための手段】
【０００６】
室内機と室外機を接続し、双方向通信可能なワイヤレスコントローラより制御可能な空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から双方向通信可能なワイヤレスコントローラへ送信し、室外機生産時にあらかじめ室外機制御装置の記憶部に記憶された室外機製造番号も室内機から双方向通信可能なワイヤレスコントローラへ送信し、ワイヤレスコントローラの制御装置にて、室内機及び室外機の製造番号を記憶すると共に、もし、過去送信されてきた製造番号と異なる新たな製造番号が送信された場合には、過去送信された製造番号と新たに送信された製造番号の両方を記憶する。
【０００７】
上記構成によって、室内機と室外機を接続し、双方向通信可能なワイヤレスコントローラより制御可能な空気調和機において、空気調和機室内機本体または室内機の制御装置と、双方向通信可能なワイヤレスコントローラが故障にて返却された場合、確実な故障解析とその修理を容易に実施することができる空気調和機の制御装置を提供することを目的と
する。
【発明の効果】
【０００８】
本発明の空気調和機の制御装置は、双方向通信可能なワイヤレスコントローラの制御装置に、過去に接続された複数の室内機製造番号を記憶すると共に、過去に接続された複数の室外機製造番号を記憶することにより、空気調和機室内機本体または室内機の制御装置と、ワイヤレスコントローラが故障にて返却された場合、確実な故障解析とその修理を容易に実施することができる。
【発明を実施するための最良の形態】
【０００９】
第１の発明は、双方向通信可能なワイヤレスコントローラの制御装置に、過去に接続された複数の室内機製造番号を記憶すると共に、過去に接続された複数の室外機製造番号を記憶することにより、空気調和機室内機本体または室内機の制御装置と、双方向通信可能なワイヤレスコントローラが故障にて返却された場合、確実な故障解析とその修理を容易に実施することができる。空気調和機の制御装置を提供することができるという効果を奏する。
【００１０】
第２の発明は、双方向通信可能なワイヤレスコントローラの制御装置に、過去に接続された複数の室内機製造番号を複数台分同時に記憶すると共に、過去に接続された複数の室外機製造番号を記憶することにより、空気調和機室内機本体または室内機の制御装置と、双方向通信可能なワイヤレスコントローラが故障にて返却された場合、確実な故障解析とその修理を容易に実施することができる。空気調和機の制御装置を提供することができるという効果を奏する。
【００１１】
第３の発明は、双方向通信可能なワイヤレスコントローラの制御装置に、過去に接続された複数の室内機製造番号を記憶し、また、過去に接続された複数の室外機製造番号を記憶すると共に、製造番号に対応したそれぞれの空気調和機の運転時間を制御装置の記憶部に記憶ことにより、空気調和機室内機本体または室内機の制御装置と、ワイヤレスコントローラが故障にて返却された場合、確実な故障解析とその修理を容易に実施することができる。空気調和機の制御装置を提供することができるという効果を奏する。
【００１２】
第４の発明は、双方向通信可能なワイヤレスコントローラの制御装置に、過去に接続された複数の室内機製造番号を記憶し、また、過去に接続された複数の室外機製造番号を記憶すると共に、製造番号に対応したそれぞれの空気調和機の異常内容を制御装置の記憶部に記憶ことにより、空気調和機室内機本体または室内機の制御装置と、ワイヤレスコントローラが故障にて返却された場合、確実な故障解析とその修理を容易に実施することができる。空気調和機の制御装置を提供することができるという効果を奏する。
【００１３】
第５の発明は、双方向通信可能なワイヤレスコントローラの制御装置に、過去に接続された複数の室内機製造番号を記憶し、また、過去に接続された複数の室外機製造番号を記憶すると共に、製造番号に対応したそれぞれの空気調和機の設置条件を制御装置の記憶部に記憶ことにより、空気調和機室内機本体または室内機の制御装置と、ワイヤレスコントローラが故障にて返却された場合、確実な故障解析とその修理を容易に実施することができる。空気調和機の制御装置を提供することができるという効果を奏する。
【００１４】
第６の発明は、双方向通信可能なワイヤレスコントローラの制御装置に、過去に接続された複数の室内機製造番号を記憶し、また、過去に接続された複数の室外機製造番号を記憶すると共に、ワイヤレスコントローラに記憶した室内機及び室外機製造番号を表示するための表示手段を設けることにより、空気調和機室内機本体または室内機の制御装置と、ワイヤレスコントローラが故障にて返却された場合、確実な故障解析とその修理を容易に
実施することができる。空気調和機の制御装置を提供することができるという効果を奏する。以下本発明の実施の形態について図面を参照して説明する。
【００１５】
（実施の形態１）
図１は本発明の実施の形態１に係わる制御装置の構成図である。図１において、室内制御装置１は、マイクロコンピュータ１１、室内記憶部１２、室内通信部１３、室内送受信部から構成され、また、室外制御装置２は、マイクロコンピュータ２１、室外記憶部２２、室外通信部２３から構成され、そして、双方向通信可能なワイヤレスコントローラ３は、マイクロコンピュータ３１、ワイヤレス記憶部３２、ワイヤレス送受信部３３から構成されている。
【００１６】
次に実際の動作を、図２のフローチャートを用いて説明する。まず、室外制御装置２において、マイクロコンピュータ２１により室外記憶部２２より室外製造番号を読出し、室外から室内経由にて、室内送受信部１４より、双方向通信可能なワイヤレスへ室外製造番号が送信される（２０１）。そして、マイクロコンピュータ３１により室外製造番号をワイヤレス記憶部３２へ記憶される（２０２）。その後、再度、室外から室内経由にてワイヤレスへ室外製造番号が送信され（２０３）、マイクロコンピュータ３１にて、既にワイヤレス記憶部３２に記憶中の室外製造番号と同じか判定する（２０４）。
【００１７】
もし、同じであれば、特に何もせず、もし、異なるのであれば、新たな室外製造番号が記憶済みの室外製造番号とは別に、ワイヤレス記憶部３２へ記憶される（２０５）。室内制御装置１においても、室外制御装置２と同様に、ワイヤレスコントローラに記憶される。
【００１８】
このように双方向通信可能なワイヤレスコントローラの制御装置に、過去に接続された複数の室内機製造番号を記憶すると共に、過去に接続された複数の室外機製造番号を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００１９】
（実施の形態２）
図３は本発明の実施の形態２に係わる制御装置の構成図である。図３において、室内制御装置Ａ１は、マイクロコンピュータ１１、室内記憶部１２、室内通信部１３、室内送受信部１４から、室内制御装置Ｂ４は、マイクロコンピュータ４１、室内記憶部４２、室内通信部４３、室内送受信部４４から構成され、また、室外制御装置２は、マイクロコンピュータ２１、室外記憶部２２、室外通信部２３から構成され、そして、双方向通信可能なワイヤレスコントローラ３は、マイクロコンピュータ３１、記憶部３２、ワイヤレス送受信部３３から構成されている。
【００２０】
次に実際の動作を、図４のフローチャートを用いて説明する。まず、室外制御装置２の室外製造番号を双方向通信可能なワイヤレスコントローラへ記憶した後、室内制御装置に関し、まず、室内制御装置Ａ１において、マイクロコンピュータ１１により室内記憶部１２より室内Ａ製造番号を読出し、室内Ａからワイヤレスへ室内Ａ製造番号が送信され（４０１）、マイクロコンピュータ３１により室内Ａ製造番号を双方向通信可能なワイヤレス記憶部３２へ記憶される（４０２）。そして、室内制御装置Ｂ４において、マイクロコンピュータ４１により室内記憶部４２より室内Ｂ製造番号を読出し、室内Ｂからワイヤレスへ室内Ｂ製造番号が送信され（４０３）、マイクロコンピュータ３１により室内Ｂ製造番号をワイヤレス記憶部３２へ記憶される（４０４）。その後、室内Ａから双方向通信可能なワイヤレスで室内Ａ製造番号信号が送信され（４０５）、マイクロコンピュータ３１にて、既にワイヤレス記憶部３２に記憶中の室内Ａ製造番号と同じか判定する（４０６）。
【００２１】
もし、同じであれば、特に何もせず、もし、異なるのであれば、新たな室内Ａ製造番号が記憶済みの室内Ａ製造番号とは別に、ワイヤレス記憶部３２へ記憶される（４０７）。室内制御装置Ｂ４においても、室内制御装置Ａ１と同様に、その後、室内Ｂからワイヤレスへ室内Ｂ製造番号信号が送信され（４０８）、マイクロコンピュータ３１にて、ワイヤレス記憶部３２に記憶中の室内Ｂ製造番号と同じか判定する（４０９）。もし、同じであれば、特に何もせず、もし、異なるのであれば、新たな室内Ｂ製造番号が記憶済みの室内Ｂ製造番号とは別に、ワイヤレス記憶部３２へ記憶される（４１０）。
【００２２】
このように双方向通信可能なワイヤレスコントローラの制御装置に、過去に接続された複数の室内機製造番号を複数台分同時に記憶すると共に、過去に接続された複数の室外機製造番号を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００２３】
（実施の形態３）
本発明の実施の形態３に係るフローチャートである。図５を用いて説明する。まず、室外制御装置２において、マイクロコンピュータ２１により室外記憶部２２より室外製造番号を読出し、室外から室内経由で双方向通信可能なワイヤレスへ室外製造番号と運転時間が送信される（５０１）。そして、マイクロコンピュータ３１により室外製造番号をワイヤレス記憶部３２へ記憶される（５０２）と共に、室外運転時間もワイヤレス記憶部に記憶される（５０３）。その後、再度、室外から室内経由でワイヤレスへ室外製造番号と運転時間が送信され（５０４）、マイクロコンピュータ３１にて、既にワイヤレス記憶部３２に記憶中の室外製造番号と同じか判定する（５０５）。
【００２４】
もし、同じであれば、その室外製造番号に対応した室外運転時間をそのまま記憶する（５０８）が、もし、異なるのであれば、新たな室外製造番号が記憶済みの室外製造番号とは別に、ワイヤレス記憶部３２へ記憶される（５０６）と共に、新たな室外製造番号に対応したワイヤレス記憶部３２の領域に室外運転時間が記憶される（５０７）。また、室内制御装置１においても、室外制御装置２と同様に、室内製造番号がワイヤレスコントローラに記憶される。
【００２５】
このようにワイヤレスコントローラの制御装置に、過去に接続された複数の室内機製造番号を記憶し、また、過去に接続された複数の室外機製造番号を記憶すると共に、製造番号に対応したそれぞれの空気調和機の運転時間を制御装置の記憶部に記憶ことにより、空気調和機室内機本体または室内機の制御装置と、ワイヤレスコントローラが故障にて返却された場合、確実な故障解析とその修理を容易に実施することができる空気調和機の制御装置を提供することができる。
【００２６】
（実施の形態４）
本発明の実施の形態４に係るフローチャートである。図６を用いて説明する。まず、室外制御装置２において、マイクロコンピュータ２１により室外記憶部２２より室外製造番号を読出し、室外から室内経由にて双方向通信可能なワイヤレスへ室外製造番号と異常内容が送信される（６０１）。そして、マイクロコンピュータ３１により室外製造番号をワイヤレス記憶部３２へ記憶される（６０２）と共に、室外異常内容もワイヤレス記憶部に記憶される（６０３）。その後、再度、室外から室内経由でワイヤレスへ室外製造番号と異常内容が送信され（６０４）、マイクロコンピュータ３１にて、既にワイヤレス記憶部３２に記憶中の室外製造番号と同じか判定する（６０５）。
【００２７】
もし、同じであれば、その室外製造番号に対応した室外異常内容をそのまま記憶する（
６０８）が、もし、異なるのであれば、新たな室外製造番号が記憶済みの室外製造番号とは別に、ワイヤレス記憶部３２へ記憶される（６０６）と共に、新たな室外製造番号に対応したワイヤレス記憶部３２の領域に室外異常内容が記憶される（６０７）。また、室内制御装置１においても、室外制御装置２と同様に、室内製造番号がワイヤレスコントローラに記憶される。
【００２８】
このように双方向通信可能なワイヤレスコントローラの制御装置に、過去に接続された複数の室内機製造番号を記憶し、また、過去に接続された複数の室外機製造番号を記憶すると共に、製造番号に対応したそれぞれの空気調和機の異常内容を制御装置の記憶部に記憶ことにより、空気調和機室内機本体または室内機の制御装置と、ワイヤレスコントローラが故障にて返却された場合、過去にどのような変更履歴があり、そのそれぞれの制御装置にどのような異常内容が発生したかを知ることができ、確実な故障解析とその修理を容易に実施することができる空気調和機の制御装置を提供することができる。
【００２９】
（実施の形態５）
本発明の実施の形態５に係るフローチャートである。図７を用いて説明する。まず、室外制御装置２において、マイクロコンピュータ２１により室外記憶部２２より室外製造番号を読出し、室外から室内経由にて双方向通信可能なワイヤレスへ室外製造番号と設置条件が送信される（７０１）。そして、マイクロコンピュータ３１により室外製造番号をワイヤレス記憶部３２へ記憶される（７０２）と共に、室外異常内容もワイヤレス記憶部に記憶される（７０３）。その後、再度、室外から室内経由でワイヤレスへ室外製造番号と設置条件が送信され（７０４）、マイクロコンピュータ３１にて、既にワイヤレス記憶部３２に記憶中の室外製造番号と同じか判定する（７０５）。
【００３０】
もし、同じであれば、その室外製造番号に対応した室外設置条件をそのまま記憶する（７０８）が、もし、異なるのであれば、新たな室外製造番号が記憶済みの室外製造番号とは別に、ワイヤレス記憶部３２へ記憶される（７０６）と共に、新たな室外製造番号に対応したワイヤレス記憶部３２の領域に室外設置条件が記憶される（７０７）。また、室内制御装置１においても、室外制御装置２と同様に、室内製造番号がワイヤレスコントローラに記憶される。
【００３１】
このようにワイヤレスコントローラの制御装置に、過去に接続された複数の室内機製造番号を記憶し、また、過去に接続された複数の室外機製造番号を記憶すると共に、製造番号に対応したそれぞれの空気調和機の設置条件を制御装置の記憶部に記憶ことにより、空気調和機室内機本体または室内機の制御装置と、ワイヤレスコントローラが故障にて返却された場合、過去にどのような変更履歴があり、そのそれぞれの制御装置がどのような設置条件で使用されていたかを知ることができ、確実な故障解析とその修理を容易に実施することができる空気調和機の制御装置を提供することができる。
【００３２】
（実施の形態６）
図８は本発明の実施の形態６に係わる制御装置の構成図である。図８において、室内制御装置１は、マイクロコンピュータ１１、室内記憶部１２、室内通信部１３、室内送受信部１４から構成され、また、室外制御装置２は、マイクロコンピュータ２１、室外記憶部２２、室外通信部２３から構成され、そして、双方向通信可能なワイヤレスコントローラ３は、マイクロコンピュータ３１、ワイヤレス記憶部３２、ワイヤレス送受信部３３、ワイヤレス操作部３４、ワイヤレス表示部３５から構成されている。
【００３３】
本発明の実施の形態６に係るフローチャートである。図９を用いて説明する。まず、室外制御装置２において、マイクロコンピュータ２１により室外記憶部２２より室外製造番号を読出し、室外から室内経由にて双方向通信可能なワイヤレスへ室外製造番号と異常内
容が送信される（９０１）。そして、マイクロコンピュータ３１により室外製造番号をワイヤレス記憶部３２へ記憶される（９０２）。その後、再度、室外から室内経由にてワイヤレスへ室外製造番号が送信され（９０３）、マイクロコンピュータ３１にて、既にワイヤレス記憶部３２に記憶中の室外製造番号と同じか判定する（９０４）。
【００３４】
もし、異なるのであれば、新たな室外製造番号が記憶済みの室外製造番号とは別に、ワイヤレス記憶部３２へ記憶される（９０５）。その後、表示部３５において過去に記憶された全ての室外製造番号を表示する（９０６）。また、室内制御装置１においても、室外制御装置２と同様に、室内製造番号がワイヤレスコントローラに記憶及び表示される。
【００３５】
このように双方向通信可能なワイヤレスコントローラの制御装置に、過去に接続された複数の室内機製造番号を記憶し、また、過去に接続された複数の室外機製造番号を記憶すると共に、ワイヤレスコントローラに記憶した室内機及び室外機製造番号を表示するための表示手段を設けることにより、空気調和機室内機本体または室内機の制御装置と、ワイヤレスコントローラが故障にて返却された場合、確実な故障解析とその修理を容易に実施することができる空気調和機の制御装置を提供することができる。
【００３６】
このように過去に接続されたことのある全ての室外機制御装置の製造番号を室内機の記憶部に記憶することにより、室内機と室外機を接続する空気調和機において、空気調和機室内機本体または室内機の制御装置のみが故障にて返却された場合、過去にどのような変更履歴があるのか、また、過去に、何回、室外制御装置が交換されているのかを知ることができ、確実な故障解析とその修理を実施することができる空気調和機の制御装置を提供することができる。
【産業上の利用可能性】
【００３７】
このように本発明の空気調和機の制御装置は、双方向通信可能なワイヤレスコントローラの制御装置に、過去に接続された複数の室内機製造番号と共に、過去に接続された複数の室外機製造番号を記憶することにより、空気調和機室内機本体または室内機の制御装置と、ワイヤレスコントローラが故障にて返却された場合、確実な故障解析とその修理を容易に実施することができるので、セパレートタイプの空気調和機用に有用である。
【図面の簡単な説明】
【００３８】
【図１】本発明の実施の形態１における制御装置の構成図
【図２】本発明の実施の形態１に係るフローチャート
【図３】本発明の実施の形態２における制御装置の構成図
【図４】本発明の実施の形態２に係るフローチャート
【図５】本発明の実施の形態３に係るフローチャート
【図６】本発明の実施の形態４に係るフローチャート
【図７】本発明の実施の形態５に係るフローチャート
【図８】本発明の実施の形態６における制御装置の構成図
【図９】本発明の実施の形態６に係るフローチャート
【図１０】従来の制御装置の構成図
【符号の説明】
【００３９】
１  室内制御装置
１１  マイクロコンピュータ
１２  室内記憶部
１３  室内通信部
１４  室内送受信部
２  室外制御装置
２１  マイクロコンピュータ
２２  室外記憶部
２３  室外通信部
３  ワイヤレスコントローラ
３１  マイクロコンピュータ
３２  ワイヤレス記憶部
３３  ワイヤレス送受信部
３４  ワイヤレス操作部
３５  ワイヤレス表示部
【図１】
2006242527.tif 000003
【図２】
2006242527.tif 000004
【図３】
2006242527.tif 000005
【図４】
2006242527.tif 000006
【図５】
2006242527.tif 000007
【図６】
2006242527.tif 000008
【図７】
2006242527.tif 000009
【図８】
2006242527.tif 000010
【図９】
2006242527.tif 000011
【図１０】
2006242527.tif 000012